(57)【特許請求の範囲】
【請求項１】
スタンプの基材となる超低密度ポリエチレン及び熱可塑性エラストマーと有機過酸化物からなる架橋剤とを混合して成形材料を得る混合工程と、
前記成形材料を成形型に注入し、１６０〜１９０℃、５〜１０分の直圧成形を行って架橋反応させて成形物を得る架橋成形工程と、を備え、
前記混合工程において、前記熱可塑性エラストマー１００重量部に対して前記超低密度ポリエチレンが１０〜１００重量部である合成樹脂製スタンプの製造方法。
【請求項２】
請求項１に記載の合成樹脂製スタンプの製造方法において、
前記架橋成形工程は、前記スタンプの印面に応じた凹凸が形成された成形型を用いて前記印面の成形加工が前記架橋反応と同時に行われる合成樹脂製スタンプの製造方法。
【請求項３】
請求項１に記載の合成樹脂製スタンプの製造方法において、
前記架橋成形工程により得られた成形物の主面に、レーザー光を用いて印面を彫刻する彫刻工程をさらに備える合成樹脂製スタンプの製造方法。
【請求項４】
請求項１〜３のいずれか一項に記載の合成樹脂製スタンプの製造方法において、
前記熱可塑性樹脂組成物は、ポリエチレン、ポリプロピレン、エチレン酢酸ビニル共重合体、ポリスチレン、ポリアクリル酸、ポリアクリル酸メチル、ポリアクリルアミド、ポリメチルビニルエーテル、ポリメチルビニルケトン、熱可塑性エラストマー、ポリブタジェン樹脂からなる群より選ばれる一又は二以上の組成物であり、  前記架橋剤は、ジアルキルパーオキサイド系架橋剤、パーオキシケタール系架橋剤、ヒドロペルオキシド系架橋剤、ペルオキシエステル系架橋剤、ジアルキルペルオキシド系架橋剤からなる群より選ばれる一又は二以上の架橋剤である合成樹脂製スタンプの製造方法。
【請求項５】
請求項４に記載の合成樹脂製スタンプの製造方法において、
前記熱可塑性樹脂組成物は、エチレン酢酸ビニル共重合体、超低密度ポリエチレン、ポリスチレン・ビニルイソプロピレントリブロック共重合体、ポリブタジェン樹脂からなる群より選ばれる一又は二以上の組成物であり、
前記架橋剤は、ジアルキルパーオキサイドである合成樹脂製スタンプの製造方法。
【発明の詳細な説明】
【技術分野】
【０００１】
本発明は、鋳造やレーザー光彫刻にて印面が形成される合成樹脂製スタンプの製造方法に関するものである。
【背景技術】
【０００２】
この種の鋳造又は彫刻スタンプは、明治２２年に日本で初めて作られた記録があり、以来彫刻ゴム印が、一般に作られるようになった（特許文献１の段落０００２）。
【先行技術文献】
【特許文献】
【０００３】
【特許文献１】特開平６−２３９０４６号公報
【発明の概要】
【発明が解決しようとする課題】
【０００４】
現在一般に使用されている鋳造ゴム印材は、燃焼時に多量の油煙および、環境汚染物質である硫黄酸化物（加硫剤）や窒素酸化物（加硫促進剤）が発生する。また、保存する場合は冷蔵保管する必要がある。さらに、レーザー光を用いて彫刻する際には、強い臭気が発生するなどの問題が指摘されている。
【０００５】
本発明が解決しようとする課題は、燃焼させても油煙の量が少なく、硫黄酸化物や窒素酸化物が発生しないスタンプの製造方法を提供することである。また、常温室内保存でも問題なく使用でき、レーザー光彫刻に際しても強い臭気が発生しないスタンプの製造方法を提供することである。
【課題を解決するための手段】
【０００６】
本発明は、基材である超低密度ポリエチレン及び熱可塑性エラストマー（熱可塑性エラストマー１００重量部に対して超低密度ポリエチレンが１０〜１００重量部）と有機過酸化物からなる架橋剤を混合した成形材料を成形型に注入し、１６０〜１９０℃で５〜１０分の直圧成型を行って、架橋反応させることにより、上記課題を解決する。
【発明の効果】
【０００７】
本発明によれば、基材で使用する熱可塑性樹脂が燃焼した場合に油煙の発生が従来のゴム印材と比較して大幅に少ない。また、従来のゴム印材に使用される加硫剤（硫黄）や、加硫促進剤（窒素化合物）を使用しないため、燃焼時に硫黄酸化物や窒素酸化物は発生しない。さらに、レーザー光を用いて彫刻しても強い臭気は発生しない。
【図面の簡単な説明】
【０００８】
【図１】本発明の一実施の形態を適用したスタンプの製造方法を示す工程図である。
【発明を実施するための形態】
【０００９】
本発明の一実施の形態を適用したスタンプの製造方法について図面を参照しながら説明する。本例の鋳造又はレーザー光彫刻により印面が形成されるスタンプは、図１に示すように、熱可塑性樹脂と有機過酸化物からなる架橋剤とを混合して成形材料を得る混合分散工程ＳＴ１と、前記成形材料を成形型に注入し、１６０〜１９０℃で５〜１０分の直圧成型を行って架橋反応を成立させる架橋成形工程ＳＴ２とを有する製造方法により得ることができる。
【００１０】
《成形材料》
本例で用いられる熱可塑性樹脂は、有機過酸化物からなる架橋剤で架橋されるものが好ましい。
【００１１】
このような架橋型ポリマーとしては、ポリエチレン、ポリプロピレン、エチレン酢酸ビニル共重合体、ポリスチレン、ポリアクリル酸、ポリアクリル酸メチル、ポリアクリルアミド、ポリメチルビニルエーテル、ポリメチルビニルケトン、ポリブタジェン樹脂、熱可塑性エラストマーなどが挙げられる。
【００１２】
これらのなかで、混練加工温度が１５０℃以下であり、硬さがＪＩＳ  Ｋ６２５３のタイプＡデュロメーターで８０ポイント以下のものが望ましい。これらの条件を満たす樹脂としては、エチレン酢酸ビニルコーポリマー、超低密度ポリエチレン、熱可塑性エラストマーに分類されるポリスチレン・ビニルイソプロピレントリブロック共重合体・ポリブタジェン樹脂が挙げられる。
【００１３】
本例で用いられる架橋剤は、用いられる熱可塑性樹脂を架橋することがきる架橋剤であればよい。合成樹脂を架橋することができる架橋剤としては、ジアルキルパーオキサイド系、パーオキシケタール系、ヒドロペルオキシド系、ペルオキシエステル系、ジアルキルペルオキシド系などがあるが、成形材料を混練加工する段階で１３０〜１５０℃に加熱されるため、架橋分解温度が高い方が望ましい。
【００１４】
ただし、分解温度が高すぎると架橋温度が高くなり、架橋時間も長くなるので好ましくない。一方で、架橋分解温度が低すぎると混練加工中に架橋剤の分解がはじまり、良好な成形物を得ることができない。したがって、最高混練温度が１００℃以上であること、標準架橋温度が１６０〜１９０℃である架橋剤が望ましい。こうした架橋剤として、ジアルキルパーオキサイドの選択が望ましい。
【００１５】
本例の成形材料には、熱可塑性エラストマー、熱可塑性樹脂、架橋剤の他に、可塑剤、鉱物油、界面活性剤、顔料、熱安定剤、滑剤、紫外線吸収剤、帯電防止剤、難燃剤、老化防止剤などが必要に応じて使用することができる。こうした添加物は、樹脂成分１００重量部に対して５０重量部以下であることが望ましい。
【００１６】
混合分散工程ＳＴ１で熱可塑性エラストマーと超低密度ポリエチレンを併用する場合は、熱可塑性エラストマー１００重量部に対して、超低密度ポリエチレン１０〜１００重量部であることが望ましい。超低密度ポリエチレンが１００重量部を超えると硬度が高くなり捺印性が悪くなる。
【００１７】
熱可塑性樹脂１００重量部に対する架橋剤の量は１〜５重量部、望ましくは０．５〜２重量部である。
【００１８】
《混合分散工程》
本例の混合分散工程ＳＴ１では、上記の熱可塑性樹脂に架橋剤及び必要に応じて使用される添加材を配合し、均質に混合することにより成形材料が得られる。混合分散工程ＳＴ１では、オープンロール、加熱加圧ニーダー、インテシブミキサー、単軸押出機、２軸押出機、インターナルミキサー、コニーダー、２軸ローター付き連続混練機などが適宜使用される。
【００１９】
《架橋成形工程》
本例の架橋成形工程ＳＴ２は、上記混合分散工程ＳＴ１で得られた成形材料を、印面の形状に対応した凹凸が形成されたキャビティを有する成形型に充填し、以下の条件で直圧成形（圧縮成形・コンプレッション成形・熱プレスとも云う）することで、架橋反応と印面の成形架橋ができる。
【００２０】
架橋・成形する温度と時間は、熱可塑性樹脂組成物が、溶融軟化する温度であり、かつ架橋剤が分解して架橋物ができる、１５０〜１９０℃の範囲である。時間は、予熱・エヤー抜き・ガス抜きを含めて５〜１０分である。架橋温度が１５０℃未満になると、架橋反応が充分成立しないため、気泡が発生したり、窪みが生じたり、成形型より離型し難くなったりして、良好な成形物が得られない。架橋・成形時間については、４分より短いと架橋反応が終了していない場合が発生して、良好な成形物が得られないことがある。また、架橋時間が１０分より長くなると生産性が低くなりコスト高になる。
【００２１】
なお、架橋成形工程ＳＴ２で用いられる成形型は、アルミニウムや鉄などの金属製成形型と、フェノール樹脂やエボナイトなどの合成樹脂製成形型のいずれでもよい。ただし、金属製成形型で銅やその合金である真鍮製の成形型は、銅が架橋反応を阻止するため、本例の使用には適していない点に留意するべきである。
【００２２】
架橋成形工程ＳＴ２で用いられる直圧成形機は、ゴムの架橋に一般使用されている加熱式のプレス機で、加圧能力が１０〜５０トン程度のものであればよい。温度は２００℃程度昇温できればよいが、温度制御は正確であることが必要とされる。
【００２３】
架橋成形工程ＳＴ２での手順は、使用する成形型を成形温度まで予備加熱した後にペレット状の成形材料を成形型に均一に充填し、予熱・加圧・エヤー抜き・ガス抜きの順にトータル５〜１０分加熱・加圧状態で成形する。成形物は、３０〜６０秒自然冷却後、成形型より取り出した方が安定した形状になる。
【００２４】
なお、架橋成形工程ＳＴ２において主面が平坦な成形物を架橋成形し、この成形物の主面を、レーザー光を用いて印面の形状に対応した凹凸形状に彫刻加工してもよい。
【実施例】
【００２５】
《実施例１》
熱可塑性エラストマー７０部、超低密度ポリエチレン３０部、架橋剤２部、赤色有機顔料０．０２５部をドラムタンブラーで１０分混合して均一な混合物を得た。この混合物を２軸押出機で混練加工して、実施例１の成形材料を得た。
《実施例２》
熱可塑性エラストマー３０部、超低密度ポリエチレン７０部、架橋剤２部、赤色有機顔料０．０２５部を実施例１と同じ処理をして、実施例２の成形材料を得た。
《実施例−３》
エチレン酢酸ビニルコーポリマー（酢ビ４１％）５０部、エチレン酢酸ビニル（酢ビ２８％）、架橋剤２部、赤色有機顔料０．０２５部を実施例１と同じ処理をして、実施例３の成形材料を得た。
【００２６】
《評価用試料作製》
上記のようにして得られた実施例１，２，３の成形材料を次の条件で成形した。樹脂成形型を１６０℃まで予熱した後、成形材料５０グラムを樹脂成形型の上に均一に置き、２０秒予備加熱した後、加圧してエヤー抜きを４〜５回実施後、５０ｋｇ／ｃｍ２に加圧放置し、４分後ガス抜きを２回、５分後に直圧成形機より取り出した。そして、６０秒自然冷却した後に樹脂成形型より取り出して成形物を得た。
【００２７】
《捺印評価》
スタンプ台（シャチハタ社製の顔料系，黒  ＨＧＮ−２）を使用して、実施例１，２，３で得たものを捺印評価した。成形物は、一見同じような成形物にみえるが、実施例２は実施例１，３に比べると相対的に劣る。これに対し、実施例１，３の捺印物は、きれいな転写ができていた。以下の評価は、実施例１，３のみを対象にする。
【００２８】
《耐溶剤性》
本例で云う耐溶剤性とは、スタンプ台インキに使用されている溶剤に対しての評価である。スタンプ台として市販されているものの中で、非吸収面対応スタンプ台（金属・プラスチック・ガラス・皮革・布など）がこれに該当するものである。
【００２９】
溶剤としては、エチレングリコールモノメチルエーテル、エチレングリコールモノエチルエーテル、エチレグリコールモノプロピルエーテルなどグリコールエーテル類、エチレグリコール、プロピレングリコール、２メチル２，４ペンタンジオールなどジオール類、ポロピレングリコールモノリシリレートなどエステル類、メタノール、エタノール、ＩＰＡ、ブタノール、３メトキシ１−ブタノールなどアルコール類である。
これらのうち、一般によく使用されている、ジプロピレングリコールモノメチルエーテル、３メトキシ１ブタノールを選び、３０日間常温浸漬して評価した結果、実施例１，３は、変化なく問題なく使用できた。
【００３０】
《燃焼試験》
ゴム材と実施例１，３の燃焼時の油煙発生の多寡を目視比較した。両者とも油煙は発生するが、その量は、数倍ゴム材の方が多かった。ゴム材は、硫黄や窒素化合物を含むため、燃焼すると硫黄酸化物や窒素酸化物を発生して強い臭気が出る。これに対して本発明に係る実施例１，３は、素材に硫黄や窒素化合物を使用していないためその発生はなく、燃焼させても臭気は少ない。
【００３１】
《保存性について》
実施例１，３の成形材料を室内・常温で６カ月放置した後、樹脂成形型に投入し、１６０℃×６分の条件で直圧成形機により架橋させたところ、良好な成形物を得た。
ゴム材は、冷蔵保存が求められるが、本発明に係る実施例１，３のものは、常温室内保存であればよい。
【００３２】
《レーザー彫刻試験》
実施例１の成形材料を、厚さ３ｍｍ、たて・よこ１００ｍｍのアルミ製型枠に投入して、１７０℃×６分の条件で加圧成形した。得られた成形物にレーザー彫刻したところ良好な彫刻物を得た。
【符号の説明】
【００３３】
ＳＴ１…混合分散工程
ＳＴ２…架橋成形工程
【図１】
0005618845.tif 000002